(57)【要約】【課題】  配色や色の関係、バランス、色彩感覚など、ゲームで遊びながら色彩について学ぶことができる色彩組色パズルを提供する。【解決手段】  同じ大きさのマス目が格子状に盤面に描かれているパズル盤と、マス目と同形状の基本ピース及び当該基本ピースの２つ以上を接合した形状の複数種類の接合ピースからなるパズルピースとを備える。パズルピースは、ピースの形状毎に色相環を形成する６色以上の色が個別に付されたピースで形成される。パズルピースを、盤面上のマス目に載置されている載置ピースに次のピースの少なくとも一辺が色相環の色の配置に基づくルールに従って接するように順次載置してマス目を埋めていく。【選択図】図１
2016019599.tif 000002
【特許請求の範囲】
【請求項１】
同じ大きさのマス目が格子状に盤面に描かれているパズル盤と、前記マス目と同形状の基本ピース及び当該基本ピースの２つ以上を接合した形状の複数種類の接合ピースからなるパズルピースとを備えたパズルであって、
前記パズルピースは、ピースの形状毎に色相環を形成する６色以上の色が個別に付されたピースで形成され、
前記パズルピースを、前記盤面上のマス目に載置されている載置ピースに次のピースの少なくとも一辺が前記色相環の色の配置に基づくルールに従って接するように順次載置して前記マス目を埋めていくようにしたことを特徴とする色彩組色パズル。
【請求項２】
前記色相環の色の配置に基づくルールは、載置ピースの色と向かい合う反対色のピースを載置する反対色ルール、載置ピースの色と隣り合う色のピースを載置する類系色ルール、及び載置ピースの色と同色か隣り合う色又は反対色のピースを載置する総合ルールである請求項１に記載の色彩組色パズル。
【請求項３】
前記色相環を形成する６色が、赤、橙、黄、緑、青、青紫である請求項１又は２に記載の色彩組色パズル。
【請求項４】
前記パズルピースは、ピースの形状毎に前記色相環を形成する色が個別に付された基本ピースと複数種類の接合ピースを１組又は２組以上備えるとともに、全てのピースで全てのマス目を埋められるように形成されている請求項１〜３のいずれか１項に記載の色彩組色パズル。
【請求項５】
前記マス目が、正三角形に形成され、
前記パズルピースは、前記基本ピースである三角ピースと、前記三角ピースを２つ接合した形状のひし形ピースと、前記三角ピースを３つ接合した形状の台形ピースと、前記三角ピースを６つ接合した形状の六角ピースとで形成されている請求項１〜４のいずれか１項に記載の色彩組色パズル。
【請求項６】
前記盤面に、正三角形のマス目が縦横規則正しく整列された三角格子状に描かれている請求項１〜５のいずれか１項に記載の色彩組色パズル。
【請求項７】
前記盤面には、指標となる正六角形等の多角形の太線が設けられている請求項５又は６に記載の色彩組色パズル。
【発明の詳細な説明】
【技術分野】
【０００１】
本発明は、配色や色の関係、バランス、色彩感覚など、ゲームで遊びながら色彩について学ぶことができる色彩組色パズルに関するものである。本明細書において色彩組色パズルとは、色彩を組み合わせて遊ぶパズルの意味で用いる。
【背景技術】
【０００２】
パズル盤の盤面にピースを順次載置していくパズルは、多種多様のものがあり、その１つとして色彩をルールに取り入れたパズルゲーム具（特許文献１参照。）がある。このパズルゲーム具は、縦横４×４の１６個のマス目からなる四角格子が盤面に描かれているパズル盤と、各色９個ずつ２色の１６個のピースとを備えている。マス目は、８色に色分けされるとともに、同色のマス目が２個ずつ形成されている。このパズルゲーム具は、マス目の色に基づくルールに従ってピースを載置する対戦型のもので、高度かつ変化のあるゲーム展開を楽しむことができるものであるが、配色や色の関係、バランス、色彩感覚を学ぶことができ難い。
【０００３】
また、配色や色の関係、バランス、色彩感覚を学ぶことができるものとしては、例えば、色見本カード（特許文献２参照。）がある。この色見本カードは、任意の色に配色した複数枚のカードを立体的又は平面的に組み合わせて、その配列及び組み合わせ状態を維持することができるものであり、カードによる造形及び組み合わせを楽しみながら、色による視覚効果及び配色効果をいろいろ試すことができる。しかし、カードを組み合わせる際には、決まりがなく個人毎に異なり、配色や色の関係、バランス、色彩感覚を学ぶことができず、また、遊びながら色彩感覚等を学ぶことができない。
【先行技術文献】
【特許文献】
【０００４】
【特許文献１】実開平５−３３７６４号公報
【特許文献２】特開２０００−３１３５号公報
【発明の概要】
【発明が解決しようとする課題】
【０００５】
本発明が解決しようとする課題は、配色や色の関係、バランス、色彩感覚など、ゲームで遊びながら色彩について学ぶことができる色彩組色パズルを提供することにある。
【課題を解決するための手段】
【０００６】
前記課題を解決するため本発明に係る色彩組色パズルは、同じ大きさのマス目が格子状に盤面に描かれているパズル盤と、前記マス目と同形状の基本ピース及び当該基本ピースの２つ以上を接合した形状の複数種類の接合ピースからなるパズルピースとを備えたパズルであって、前記パズルピースは、ピースの形状毎に色相環を形成する６色以上の色が個別に付されたピースで形成され、前記パズルピースを、前記盤面上のマス目に載置されている載置ピースに次のピースの少なくとも一辺が前記色相環の色の配置に基づくルールに従って接するように順次載置して前記マス目を埋めていくようにしたことを特徴とする。
【０００７】
このように、パズルピースを順次盤面上にマス目に合わせて載置しマス目を埋めていくことで、ゲームとして遊べ、かつ、ピースの載置は、色相環の色の配置に基づいて定めたルールに従って行うので、配色や色の関係、バランス、色彩感覚を本発明パズルで遊びながら学ぶことが可能となる。
【０００８】
この場合において、色相環の色の配置に基づくルールの例としては、載置ピースの色と向かい合う反対色のピースを載置する反対色ルール、載置ピースの色と隣り合う色のピースを載置する類系色ルール、及び載置ピースの色と同色か隣り合う色又は反対色のピースを載置する総合ルールであり、本発明パズルでは、常にいずれかのルールに従ってピースを載置する。色相環を形成する６色として、例えば、赤、橙、黄、緑、青、青紫を使用するが、これ以外の色を用いることは任意である。
【０００９】
本発明では、パズルピースを、ピースの形状毎に色相環を形成する色が個別に付された基本ピースと複数種類の接合ピースを１組又は２組以上備えるとともに、全てのピースで全てのマス目を埋められるように形成することができる。本発明において、パズル盤とパズルピースに用いる基本形状は、一例として正三角形であり、パズルピースを、正三角形の三角ピースと、三角ピースを２つ接合した形状のひし形ピースと、三角ピースを３つ接合した形状の台形ピースと、三角ピースを６つ接合した形状の六角ピースとで形成することができるが、正三角形以外の基本形状として例えば正方形、正六角形、ひし形を用いることができる。
【００１０】
本発明において、盤面に、正三角形のマス目を縦横規則正しく整列された三角格子状に描くことができる。この場合、盤面には、指標となる正六角形等の多角形の太線を設けらることができる。
【発明の効果】
【００１１】
本発明によれば、配色や色の関係、バランス、色彩感覚など、ゲームで遊びながら色彩について学ぶことができる。
【図面の簡単な説明】
【００１２】
【図１】本発明に係る色彩組色パズルを示す概略斜視図である。
【図２】本実施形態のパズル盤にマス目が三角格子状に描かれている第１の例を示す図である。
【図３】本実施形態のパズル盤にマス目が三角格子状に描かれている第２の例を示す図である。
【図４】本実施形態のパズル盤にマス目が三角格子状に描かれている第３の例を示す図である。
【図５】本実施形態の第１ルールに基づいてピースをパズル盤に載置した一例を示す図である。
【図６】本実施形態の第２ルールに基づいてピースをパズル盤に載置した一例を示す図である。
【図７】本実施形態の第３ルールに基づいてピースをパズル盤に載置した一例を示す図である。
【図８】本実施形態の第４ルールに基づいてピースをパズル盤に載置した一例を示す図である。
【図９】本実施形態の第５ルールに基づいてピースをパズル盤に載置した一例を示す図である。
【発明を実施するための形態】
【００１３】
以下、本発明に係る色彩組色パズルの実施形態を添付図面に基づいて説明する。図１に示すように、本実施形態の色彩組色パズル１は、盤面２ａに同じ大きさのマス目３が格子状に描かれているパズル盤２と、盤面２ａ上のマス目３に載置しマス目３を埋めていくパズルピース５，６，７，８とを備えている。
【００１４】
パズル盤２は、マス目３が格子状に描かれている表面が盤面２ａとなる板状に形成されている。パズル盤２の形状は、矩形、三角形、その他の多角形、円形、星形等特に限定されず、例えば、矩形に形成されている。パズル盤２の材質は、木材、プラスチックなどの合成樹脂、金属、紙等特に限定されず、例えば、木材等で形成されている。パズル盤２が木材で形成されている場合、ぬくもり感が感じられるものとなる。
【００１５】
マス目３は、同じ大きさの基本形状で形成され、この基本形状は、パズル盤２とともにパズルピース５，６，７，８の基本形状であり、正三角形、正方形、正六角形、ひし形等特に限定されないが、例えば、正三角形であることが好ましい。正三角形のマス目３が縦横規則正しく整列された三角格子状に盤面２ａに描かれていることが好ましい。なお、マス目３は、正三角形の他に正方形、正六角形、ひし形が規則正しく整列されて形成されていてもよい。マス目３は、図１〜図４に示すように、一例として、正三角形に形成されて、マス目３の一辺が互いに重なり合って１９個縦方向に直線状に並んだマス目列を１列とした場合、このマス目列が横方向に１２列配置されてマス目数２２８の三角格子状に形成されている。
【００１６】
また、盤面２ａに描かれている三角格子状のマス目３には、マス目３に沿って指標となる正六角形等の多角形の指標太線を設けるようにしてもよい。指標太線の形状は、正六角形に限定されず、正三角形やひし形等のその他の多角形に形成してもよい。指標太線は、例えば、マス目３と同三角形を６つ接合した形状の正六角形の指標太線３１に形成してもよい（図３参照。）。この場合、正六角形の複数の指標太線３１が、間隔をあけて規則正しく整列された状態でマス目３に沿って設けるようにしてもよい。また、指標太線は、例えば、一辺がマス目３（正三角形）の一辺の長さの５倍の寸法の正六角形に形成して、この正六角形の１個の指標太線３２をマス目３に沿って設けるようにしてもよい（図４参照。）。
【００１７】
パズルピース５，６，７，８は、図１、図５〜図９に示すように、パズル盤２の盤面２ａ上にマス目３に載置してマス目３を埋めていくものである。パズルピース５，６，７，８の材質は、木材、プラスチックなどの合成樹脂、金属、紙等特に限定されず、例えば、パズル盤２と同じ材質である木材等で形成されている。パズルピース５，６，７，８は、マス目３と同形状の基本ピース及び基本ピースの２つ以上を接合した形状の複数種類の接合ピースからなる。
【００１８】
パズルピースは、平面から見たとき、基本形状であるマス目３（正三角形）と同形状の正三角形の基本ピースである三角ピース５、三角ピース５を２つ接合した形状のひし形ピース６、三角ピース５を３つ接合した形状の台形ピース７、及び三角ピース５を６つ接合した形状の六角ピース８の４種類の形状のピースからなることが好ましい。なお、この場合の接合ピースは、ひし形ピース６、台形ピース７及び六角ピース８の３種類であるが、本実施形態においては、この３種類に限定されず、この３種類のピースと３種類のピース以外の使用可能な他の形状の種類のピースの中から任意のピースを用いてもよい。また、接合ピースとは、２つ以上の三角ピース５を接合した形状のピースであり、２つ以上の三角ピース５を接合した形態の１つのピースで形成してもよいし、２つ以上の三角ピース５を接合して１つのピースに形成したものでもよい。パズルピース５，６，７，８は、全てのピース５，６，７，８で全てのマス目３を埋められるように形成されていることが好ましく、例えば、マス目３が前述のように２２８のマス目数の三角格子状に形成されている場合には、三角ピース５が２４個、ひし形ピース６が３０個、台形ピース７が３６個、六角ピース８が６個で形成されていることが好ましい。パズルピース５，６，７，８の厚さは、特に限定されず任意に設定される。
【００１９】
パズルピース５，６，７，８は、ピースの形状毎に色相環を形成する６色以上の色が個別に付されたピースで形成されている。色相環を形成する６色は、赤、橙、黄、緑、青、青紫の６色であることが好ましく、これ以外の色を用いることは任意である。本実施形態では、パズルピース５，６，７，８は、ピースの形状毎に赤、橙、黄、緑、青、青紫の６色が個別に付されたピースを１組又は２組以上備えることが好ましく、例えば、三角ピース５は、赤、橙、黄、緑、青、青紫の６色のピースを４組備えた合計２４個で形成され、ひし形ピース６は、６色のピースを５組備えた合計３０個で形成され、台形ピース７は、６色のピースを６組備えた合計３６個で形成され、六角ピース８は、６色のピースを１組備えた６個で形成されている。
【００２０】
すなわち、三角ピース５は、赤色のピース５ｒが４個、橙色のピース５ｏが４個、黄色のピース５ｙが４個、緑色のピース５ｇが４個、青色のピース５ｂが４個、青紫色のピース５ｖが４個からなる。ひし形ピース６は、赤色のピース６ｒが５個、橙色のピース６ｏが５個、黄色のピース６ｙが５個、緑色のピース６ｇが５個、青色のピース６ｂが５個、青紫色のピース６ｖが５個からなる。台形形ピース７は、赤色のピース７ｒが６個、橙色のピース７ｏが６個、黄色のピース７ｙが６個、緑色のピース７ｇが６個、青色のピース７ｂが６個、青紫色のピース７ｖが６個からなる。六角形ピース８は、赤色のピース８ｒが１個、橙色のピース８ｏが１個、黄色のピース８ｙが１個、緑色のピース８ｇが１個、青色のピース８ｂが１、青紫色のピース８ｖが１個からなる。なお、パズルピース５，６，７，８は、ピースの形状毎に色相環を形成する色が個別に付されたピースで形成されていれば、種類、個数は、特に限定されるものではない。
【００２１】
本実施形態の色彩組色パズル１は、パズル盤２の盤面２ａ上にパズルピース５，６，７，８をマス目３に載置する際に、格子状のマス目３の全部又は一部の領域内では、盤面２ａ上のマス目３に載置されている載置ピース５，６，７，８に次のピース５，６，７，８の少なくとも一辺が色相環の色の配置に基づいて定めたルールに従って一辺が接するように載置する。次のピース５，６，７，８を載置する際のルールとしては、色相環の色の配置に基づくものであれば特に限定されず、例えば、載置ピース５，６，７，８の色と向かい合う反対色のピース５，６，７，８を載置する反対色ルール、載置ピース５，６，７，８の色と隣り合う色のピース５，６，７，８を載置する類系色ルール、及び載置ピース５，６，７，８と同色か隣り合う色又は反対色のピース５，６，７，８を載置する総合ルール等が挙げられる。これらルールのうち任意の１つのルールに従ってピース５，６，７，８を載置するようにしてもよいし、２つ以上のルールに従ってピース５，６，７，８を載置するようにしてもよい。
【００２２】
具体的には例えば、以下の第１〜第５ルールに基づいてピース５，６，７，８を載置するようにしてもよい。色相環の色の配置は、例えば、赤、橙、黄、緑、青、青紫の６色の場合、図１〜図４に示すように、６０度間隔で６つの領域からなる円グラフで表されている。具体的は、赤と反対色が緑、赤と時計回り方向の隣り合う色が橙、反時計回り方向の隣り合う色が青紫であり、橙と反対色が青、橙と時計回り方向の隣り合う色が黄であり、黄と反対色が青紫、黄と時計回り方向の隣り合う色が緑である。色相環の色の配置図（円グラフ）１０は、盤面２ａ上に描かれていることが好ましく、例えば、格子状のマス目３の上下に１つずつ配置されていることが好ましい。
【００２３】
第１ルールは、図５に示すように、横１２列のマス目列を２列ごとに６つの領域に設定して、６つの各領域では同色のピースのみ載置可能にする。例えば、６つの領域を左から黄、緑、青、青紫、赤、橙の領域とし、各領域では同色のピース５，６，７，８のみ載置可能にする。複数人数で行う際には、複数人に同数（色はランダム）になるようにピース５，６，７，８を予め配り、順番を決めて一人ずつピース５，６，７，８を盤面２ａの格子状のマス目３に載置する。ピース５，６，７，８が載置されていない領域すなわち領域内に初めてピース５，６，７，８を載置する場合には、領域の所望の位置（又は所定の位置）に載置する。既にピース５，６，７，８が載置されている領域に次のピース５，６，７，８を載置する場合には、載置ピース５，６，７，８に少なくとも一辺が接するように載置する。ピース５，６，７，８を順次載置していき、手持ちのピース５，６，７，８が早くなくなった人が勝ちとする。なお、図５〜図９において、各ピース上に記載してあるｒは赤、ｏは橙、ｙは黄、ｇは緑、ｂは青、ｖは青紫をそれぞれ示し、図６〜図９において、ピースの形状が分かり難くなるのでピースの符号を省略してある。
【００２４】
第２ルールは、図６に示すように、横１２列のマス目列を４列ごとに３つの領域に設定して、３つの各領域では色相環で互いに向かい合う２色のピース５，６，７，８を載置する。すなわち、各領域では反対色ルールに従ってピース５，６，７，８を載置する。例えば、３つの領域を左から黄と青紫のピース５ｙ，６ｙ，７ｙ，８ｙ，５ｖ，６ｖ，７ｖ，８ｖを載置する第１領域、緑と赤のピース５ｇ，６ｇ，７ｇ，８ｇ，５ｒ，６ｒ，７ｒ，８ｒを載置する第２領域、青と橙のピース５ｂ，６ｂ，７ｂ，８ｂ，５ｏ，６ｏ，７ｏ，８ｏを載置する第３領域とする。複数人数で行う際には、複数人に同数（色はランダム）になるようにピース５，６，７，８を予め配り、順番を決めて一人ずつピース５，６，７，８を盤面２ａに載置する。ピース５，６，７，８が載置されていない領域すなわち領域内に初めてピース５，６，７，８を載置する場合には、領域の所望の位置（又は所定の位置）に載置する。既にピース５，６，７，８が載置されている領域に次のピース５，６，７，８を載置する場合には、載置ピース５，６，７，８に反対色のピース５，６，７，８を少なくとも一辺が接するように載置する。ピース５，６，７，８を順次載置していき、手持ちのピース５，６，７，８が早くなくなった人が勝ちとする。また、第２ルールにおいて、勝ち負けを設定せずに、１人で行う場合及び複数人で行う際に、全てのピース５，６，７，８で格子状の全てのマス目３が埋められるように工夫して載置したり、全体のピース５，６，７，８の色が美しく調和するように配慮して載置したりすることもできる。
【００２５】
第３ルールは、図７に示すように、横１２列のマス目列を６列ごとに２つの領域に設定して、２つの各領域では特定した色のピース５，６，７，８とこの色に対して類系相環で隣り合う２色（類系色）のピース５，６，７，８を載置する。すなわち、各領域では類系色ルールに従ってピース５，６，７，８を載置する。例えば、２つの領域のうち左側の第１領域では、青紫と赤と青のピース５ｖ，６ｖ，７ｖ，８ｖ，５ｒ，６ｒ，７ｒ，８ｒ，５ｂ，６ｂ，７ｂ，８ｂを載置し、第２領域では、黄と緑と橙のピース５ｙ，６ｙ，７ｙ，８ｙ，５ｇ，６ｇ，７ｇ，８ｇ，５ｏ，６ｏ，７ｏ，８ｏを載置する。複数人数で行う際には、複数人に同数（色はランダム）になるようにピース５，６，７，８を予め配り、順番を決めて一人ずつピース５，６，７，８を盤面２ａに載置する。ピース５，６，７，８が載置されていない領域すなわち領域内に初めてピース５，６，７，８を載置する場合には、領域の所望の位置（又は所定の位置）に載置する。既にピース５，６，７，８が載置されている領域に次のピース５，６，７，８を載置する場合には、載置ピース５，６，７，８に類系色のピース５，６，７，８を少なくとも一辺が接するように載置する。ピース５，６，７，８を順次載置していき、手持ちのピース５，６，７，８が早くなくなった人が勝ちとする。また、第３ルールにおいて、勝ち負けを設定せずに、１人で行う場合及び複数人で行う際に、全てのピース５，６，７，８で格子状の全てのマス目３が埋められるように工夫して載置したり、全体のピース５，６，７，８の色が美しく調和するように配慮して載置したりすることもできる。
【００２６】
第４ルールは、図８に示すように、格子状のマス目３の全部を用いて、載置ピース５，６，７，８と同色か類系色又は反対色のピース５，６，７，８を載置ピース５，６，７，８に少なくとも一辺が接するように載置する。すなわち、混合ルールに従ってピース５，６，７，８を載置する。複数人数で行う際には、複数人に同数（色はランダム）になるようにピース５，６，７，８を予め配り、順番を決めて一人ずつピース５，６，７，８を盤面２ａに載置する。最初の人は格子状のマス目３の所望の位置（又は所定の位置）にピース５，６，７，８を載置する。ピース５，６，７，８を順次載置していき、手持ちのピース５，６，７，８が早くなくなった人が勝ちとする。また、第４ルールにおいて、勝ち負けを設定せずに、１人で行う場合及び複数人で行う際に、全てのピース５，６，７，８で格子状の全てのマス目３が埋められるように工夫して載置したり、全体のピース５，６，７，８の色が美しく調和するように配慮して載置したりすることもできる。
【００２７】
第５ルールは、図９に示すように、格子状のマス目３を用いて、載置ピース５，６，７，８と類系色のピース５，６，７，８を載置ピース５，６，７，８に少なくとも一辺が接するように載置する類系色ルールと、載置ピース５，６，７，８と反対色のピース５，６，７，８を載置ピース５，６，７，８に少なくとも一辺が接するように載置する反対色ルールとを交互に行う。複数人数で行う際には、複数人に同数（色はランダム）になるようにピース５，６，７，８を予め配り、順番を決めて一人ずつピース５，６，７，８を盤面２ａに載置する。最初の人は格子状のマス目３の所望の位置（又は所定の位置）にピース５，６，７，８を載置する。ピース５，６，７，８を順次載置していき、手持ちのピース５，６，７，８が早くなくなった人が勝ちとする。また、第５ルールにおいて、勝ち負けを設定せずに、１人で行う場合及び複数人で行う際に、全てのピース５，６，７，８で格子状の全てのマス目３が埋められるように工夫して載置したり、全体のピース５，６，７，８の色が美しく調和するように配慮して載置したりすることもできる。
【００２８】
以上の第１〜第５ルールに従ってパズルピース５，６，７，８を順次盤面２ａ上のマス目３に載置しマス目３を埋めていくことで、子供から大人、高齢者まで、初心者から熟練者まで難易度に応じたゲームを楽しめるとともに、高度かつ変化のあるゲーム展開を楽しむことができる。また、ピース５，６，７，８を載置する際には、必ず色相環の色の配置に基づいて定めたルールに従うので、パズルを行えば行うほど自然と色相環の色の配置や関係が養われる。したがって、本発明に係る色彩組色パズル１は、配色や色の関係、バランス、色彩感覚など、ゲームで遊びながら色彩について学ぶことができる。また、本発明に係る色彩組色パズル１は、頭と手を同時に使い、また、色と形という二つの要素を扱うので、高齢者が失ってしまいがちな認知機能を楽しみながらトレーニングすることができる。
【符号の説明】
【００２９】
１  色彩組色パズル
２  パズル盤
２ａ  盤面
３  マス目
５  三角ピース
６  ひし形ピース
７  台形ピース
８  六角ピース
１０  色相環の色の配置図
【図１】
2016019599.tif 000003
【図２】
2016019599.tif 000004
【図３】
2016019599.tif 000005
【図４】
2016019599.tif 000006
【図５】
2016019599.tif 000007
【図６】
2016019599.tif 000008
【図７】
2016019599.tif 000009
【図８】
2016019599.tif 000010
【図９】
2016019599.tif 000011